(57)【要約】【課題】従来、冷蔵庫の背面に形成した注入口の内側に舌状に形成した樹脂性シートを片持ち状態に設け、このシートを押し下げるように注入ヘッドを注入口へ挿入して発泡断熱材の原料を注入すると、断熱材充填空間内で発泡して断熱材充填空間に充填されつつ立ち上がり、その発泡圧力によってシートが押し上げられ注入口を塞ぐ。しかし、シートは発泡圧によって注入口を通って注入口の外側へ山型に張り出す膨らみが生じ、冷蔵庫の背面からこの膨らみが突出状態となり、見栄えが悪い冷蔵庫となる。本発明は、この点の改良に係る。【解決手段】注入口を開閉する注入口シートは、注入口に入り込み注入口よりも若干外方まで突出する平坦な外面を備えた台形部を形成するものである。【選択図】  図５
2004225947.tif 000002
【特許請求の範囲】
【請求項１】
内箱と外箱との間に形成した断熱材充填空間へ発泡性断熱材の原料を注入する注入口が前記外箱に形成され、固定側が前記注入口の前記断熱材充填空間側の周縁部に取り付けられ前記注入口を開閉するように可動する注入口シートが設けられ、この注入口シートは、前記注入口に入り込み前記注入口よりも若干外方まで突出する平坦な外面を備えた台形部を形成したことを特徴とする断熱箱体。
【請求項２】
前記注入口シートは、前記断熱材充填空間側の面に前記注入口周辺の前記外箱の外面色と略同等の色彩層を有する透明樹脂シートで構成されたことを特徴とする請求項１に記載の断熱箱体。
【請求項３】
前記注入口周辺の前記外箱はシルバー色の外面を呈し、前記注入口シートは、前記断熱材充填空間側の面にアルミニウム蒸着層を形成した透明樹脂シートで構成されたことを特徴とする請求項１に記載の断熱箱体。
【発明の詳細な説明】
【０００１】
【発明の属する技術分野】
本発明は、内箱と外箱との間に形成した断熱材充填空間へ断熱材の原料を注入する注入口を開閉する注入口シートを備えた断熱箱体に関する。
【０００２】
【従来の技術】
内箱と外箱との間に形成した断熱材充填空間へ断熱材の原料を注入する注入口を外箱に形成し、断熱材充填空間側にこの注入口を開閉する注入口シートを備えた冷蔵庫がある（例えば、特許文献１参照）。
【０００３】
特許文献１の図８乃至図１０には、冷蔵庫の背面を上向きにして、背面に形成した注入口へ注入ヘッドを挿入して断熱材充填空間に断熱材を充填する形態が開示されている。そして、注入口の内側には、舌状に形成した樹脂性シートの注入口シールが片持ち状態に設けられている。この注入口シールを押し下げるように注入ヘッドを注入口へ挿入して発泡断熱材の原料を注入すると、断熱材充填空間内で発泡して断熱材充填空間に充填されつつ立ち上がり、その発泡圧力によって注入口シールが押し上げられ、注入口を塞ぐことが開示されている。
【０００４】
特許文献１には発泡断熱材の種類によって断熱材の漏れが生じることが記載されているが、発泡断熱材の種類によっては、発泡圧力によって注入口シールが押し上げられたとき、注入口を塞いで断熱材の漏れを塞ぐ状態が得られる。この場合、注入口シールは、注入ヘッドの注入口への挿入の支障とならず、しかも注入後は発泡断熱材の立ち上がりによって注入口を塞ぐことが必要であり、このような作用に適し安価なものとして、比較的薄い合成樹脂シートが考えられる。
【０００５】
しかし、合成樹脂シートを採用すると、注入口シールは発泡圧によって注入口を通って注入口の外側へ山型に張り出す膨らみが生じ、冷蔵庫の背面、即ち外箱の外面からこの膨らみが突出状態となる。
【０００６】
また、発泡断熱材の色彩は黄色を呈するが冷蔵庫の外箱は白色系あるいはシルバーである場合が多く、注入口の部分が外箱の色彩と異なる色彩を呈し、デザイン上からすれば好ましくなく、注入口には目張りシールを貼っていた。この目張りシールは、打ち抜きにより前記注入口を形成した際に、この注入口の周縁に形成されるバリを覆う役目も果たし、バリにより作業者等が怪我をするのを防止している。
【０００７】
【特許文献１】
特開平０７−２３７２３０号公報（第１頁、図８〜１０）
【０００８】
【発明が解決しようとする課題】
本発明は、作業性の向上のために、前記目張りシール自体及び前記目張りシールの貼付作業を省略すると共に、バリによる怪我の防止も可能な断熱箱体を提供することを目的とする。
【０００９】
【課題を解決するための手段】
本発明の断熱箱体は、内箱と外箱との間に形成した断熱材充填空間へ発泡性断熱材の原料を注入する注入口が前記外箱に形成され、固定側が前記注入口の前記断熱材充填空間側の周縁部に取り付けられ前記注入口を開閉するように可動する注入口シートが設けられ、この注入口シートは、前記注入口に入り込み前記注入口よりも若干外方まで突出する平坦な外面を備えた台形部を形成したことを特徴とする。
【００１０】
これによって、台形部が注入口シートの補強部分として作用し、従来のような山型状の膨らみを抑制でき、平坦な外面によって外観形状を良好に保つことができる。また、金属製外箱を打ち抜きして注入口を形成したとき、この注入口の外側周縁にバリが形成される場合があるが、注入口シートの前記周囲壁によってこのバリの部分へ作業者等の手が触れ難くなり、作業者等を保護できる。
【００１１】
また、本発明では、前記注入口シートは、前記断熱材充填空間側の面に前記注入口周辺の前記外箱の外面色と略同等の色彩層を有する透明樹脂シートで構成されたことを特徴とする。このように注入口シートが透明樹脂シートであるため、外箱外面側から見た色彩を種々の色彩にし易くなる。このため、発泡断熱材の色彩と冷蔵庫の外箱の色彩が大きく異なる場合にも、注入口シートに外箱と同系色を施せば、外観的に向上したものとなる。更に、注入口シートに施す色彩は、断熱材充填空間側の面に施されるため、外箱外面からの損傷を受けない効果を奏する。
【００１２】
また、前記注入口周辺の前記外箱はシルバー色の外面を呈し、前記注入口シートは、前記断熱材充填空間側の面にアルミニウム蒸着層を形成した透明樹脂シートで構成されたことを特徴とする。このため、アルミニウム蒸着の形成は比較的安価にして簡単であり、塗装による場合のコストアップやカラーシートを接着する場合の皺やコストアップ等の問題も考慮することなく、シルバーの外箱に近い色を簡単にしかも安価に形成できる効果がある。
【００１３】
【発明の実施の形態】
次に、本発明の実施の形態について説明する。各図は本発明の実施形態を示しており、図１は本発明に係る冷蔵庫の縦断側面、図２は本発明に係る冷蔵庫本体の正面斜視図、図３は本発明に係る冷蔵庫本体への断熱材充填状態の説明図、図４は本発明に係る注入口シートの斜視図、図５は本発明に係る注入口シートの取り付け状態を示す断面図である。
【００１４】
これらの図において、Ｒは冷却貯蔵庫の一つである冷蔵庫であり、前面開口の冷蔵庫本体１内を区画して複数の貯蔵室を形成し、これら各貯蔵室の前面は扉で開閉できる構成である。この冷蔵庫において、１は断熱箱体を構成する冷蔵庫本体であり、外箱（外壁板）３と内箱（内壁板）２とを組み合わせて外箱（外壁板）３と内箱（内壁板）２との間に断熱材充填空間３０を形成した箱体１Ａの断熱材充填空間３０に発泡性断熱材４を充填した断熱構造である。冷蔵庫本体１内には、貯蔵室として上から冷蔵室５、野菜室６、冷凍室７が区画されて設けられ、冷蔵室５内には複数段に板状棚で構成した棚装置８が設けられている。冷蔵室５内の底部にはその上方の冷蔵室５と最下段の棚装置８にて区画された特定低温室９が設けられ、また冷凍室７は上冷凍室１０と下冷凍室１１に区分されている。
【００１５】
冷蔵室５の前面開口は、冷蔵庫本体１の一側部にヒンジ装置にて横方向に回動して開閉される回動式扉１２にて閉塞される。野菜室６の前面開口は、野菜室６内に設けた左右のレール又はローラ装置によって前後方向へ引き出し可能に支持した野菜容器１３と共に前方へ引き出される引き出し式扉１４にて閉塞されている。上冷凍室１０と下冷凍室１１はそれぞれ野菜室６と同様に、冷凍室内に設けた左右のレールに対してそれぞれ前後方向へ引き出し可能に支持した容器１５、１６と共に前方へ引き出される引き出し式扉１７、１８にて閉塞されている。
【００１６】
２０は冷凍システムの冷媒の圧縮機、２１は冷凍システムの冷媒の凝縮器、２２は凝縮器２１の熱にて後述の冷却器の除霜水を蒸発させる蒸発皿である。２３、２４は冷凍システムの冷媒の冷却器（蒸発器）であり、２３は冷凍室７用冷却器、２４は冷蔵室５、野菜室６及び特定低温室９用冷却器である。２５は第１冷気循環送風機、２６は第２冷気循環送風機である。冷却器２３で冷却した冷気は送風機２５によって、上冷凍室１０及び下冷凍室１１を経て冷却器２３へ帰還する循環をする。また冷却器２４で冷却した冷気は送風機２６によって、冷蔵室５、特定低温室９及び野菜室６を経て冷却器２４へ帰還する循環をする。このような冷気循環経路は図１に矢印で示す。特定低温室９は、前後方向へ引き出し可能に支持した容器２７が設けられ、０℃前後で食品が凍結しない程度の低温に冷却されるものである。
【００１７】
内箱２と外箱３とを組み合わせた箱体１Ａの背面の左右両側部分には、箱体１Ａの左右側壁に存在する断熱材充填空間３０に対応する位置に、外箱３の背壁３Ａを貫通して注入口３１が形成されている。箱体１Ａの断熱材充填空間３０への発泡性断熱材４の充填は、図３のように箱体１Ａをその前面開口１Ｂを下側に背面１Ｃが上になるように伏せた状態に治具によって保持し、この状態で注入口３１へ差し込んだ注入ヘッド３２を通して発泡性断熱材４の原料（原液ともいう）を断熱材充填空間３０へ注入する。この注入によって発泡性断熱材４の原料は、断熱材充填空間３０の下方部分から発泡して断熱材充填空間３０内を立ち上がりつつ、断熱材充填空間３０内に充填された発泡性断熱材４の層が形成される。
【００１８】
本発明では、注入口３１から発泡性断熱材４が漏れないように注入口３１を塞ぐ注入口シート４０が取り付けられている。具体的には、外箱３に形成した注入口３１の断熱材充填空間３０側の周縁部に注入口シート４０の固定側４１が両面接着テープ３３によって取り付けられ、注入口シート４０はその反対側の可動側４２が上下動して注入口３１を開閉するように可動できる。注入口シート４０は透明樹脂シート４７で構成され、注入口３１の全周にわたって入り込み外箱３の背壁３Ａの外側面よりも若干外方まで突出する周囲壁４３と、この周囲壁４３で囲まれた平坦な外面４４とを有する台形部４５を形成した構成である。
【００１９】
注入口シート４０の台形部４５の周囲壁４３が注入口３１へスムースに入り込み、注入口シート４０によって注入口３１の閉塞が良好となるためには、注入口３１と周囲壁４３とは円形とし、注入口３１の直径よりも若干周囲壁４３の外形が小さい状態に形成するのがよい。
【００２０】
このような構成において、注入口３１へ差し込まれた注入ヘッド３２によって注入口シート４０は固定側４１を支点として可動側４２が下方へ回動する。そして、断熱材充填空間３０への発泡性断熱材４の原料の注入が終わって注入ヘッド３２を注入口３１から抜き出すことによって、注入口シート４０は自己の復元力と発泡性断熱材４の発泡圧力によって、注入口３１へ向けて復帰し、最終的には発泡圧力によって押圧されて台形部４５が注入口３１に入り込み、台形部４５の周辺部が注入口３１の周縁部に当接して、注入口３１からの発泡性断熱材４の漏れを防止する。
【００２１】
このように、台形部４５が注入口３１に入り込んだ状態で、注入口３１よりも若干外方まで突出する平坦な外面４４を備えている。即ち、台形部４５は外箱３、即ち外箱３の背壁３Ａよりも外方へ若干張り出すように突出する。このため、周囲壁４３を含む台形部４５が注入口シート４０の補強部分として作用し、従来のような山型状の膨らみを抑制でき、平坦な外面４４によって外観形状を良好に保つことができる。また、金属製外箱３を打ち抜きして注入口３１を形成したとき、この注入口３１の外側周縁にバリが形成される場合があるが、注入口シート４０の周囲壁４３によって、このバリの部分へ作業者等の手が触れ難くなり、作業者等を保護できることとなる。具体的には、この台形部４５の高さは、注入口３１が形成される部分の外箱３の板厚よりも大きく設計しているので、台形部４５は外箱３の外方に若干突出し、注入口３１の周縁部のバリ部分に作業者の手が不用意に触れることを防止している。このため、その部分のデザイン等を考慮して、台形部４５の外箱３の外方への張り出し高さは、１ｍｍ〜２ｍｍ前後で十分である。
【００２２】
また、注入口シート４０は、発泡性断熱材４の発泡圧力によって注入口３１へ向けて復帰する作用をするが、発泡性断熱材４及びそれに含まれるガスに侵されない材質で作られることが必要である。このため、注入口シート４０は、例えばポリプロピレン樹脂シートで構成され、可撓性を考慮して、その厚さは１ｍｍ前後でよい。
【００２３】
また、本発明の注入口シート４０は、断熱材充填空間３０側の面に、注入口３１周辺の外箱３の外面色、即ち外箱３の背壁３Ａの外面色と略同等の色彩層４６を有するポリプロピレン樹脂等の透明樹脂シート４７で構成されている。このように注入口シート４０が透明樹脂シートであるため、透明樹脂シート４７の裏側に色彩層４６を形成すれば、この色彩層４６が透明樹脂シート４７を透して外部から視認できることとなり、外箱３の外面側から見た色彩を種々の色彩にし易くなる。このため、発泡断熱材４の色彩と冷蔵庫の外箱３の色彩が大きく異なる場合にも、注入口シート４０に外箱３と同色又は同系色を施せば、外観的に向上したものとなる。更に、注入口シート４０に施す色彩は、断熱材充填空間３０側の面に施されるため、外箱３外面からの損傷を受けない効果を奏する。
【００２４】
また、本発明は、注入口３１周辺の外箱３はシルバー色の外面を呈し、注入口シート４０は、断熱材充填空間３０側の面にアルミニウム蒸着層４６を形成した透明樹脂シート４７で構成されたことを特徴とする。色彩層４６の形成を、塗装による場合はコストアップが生じ、カラーシートやアルミニウム箔を接着する場合は皺やコストアップ等の問題も生じるが、本発明によるアルミニウム蒸着層４６の形成は比較的安価にして簡単であり、このような問題を考慮することなく、ステンレス製外箱であれば、そのシルバー色に近い色を簡単にしかも安価に形成できる効果がある。
【００２５】
本発明は、上記実施形態に限定されず、種々の形態の断熱箱体である冷蔵庫、恒温庫、冷凍庫等に適用でき、本発明の技術的範囲を逸脱しない限り種種の変更が考えられ、それに係る種種の実施形態を包含するものである。
【００２６】
【発明の効果】
本発明によって、金属製外箱を打ち抜きして注入口を形成したとき、この注入口の外側周縁にバリが形成される場合があるが、注入口シートの台形部によってこのバリの部分へ作業者等の手が触れ難くなり、作業者等を保護できる。
【００２７】
また、本発明では、注入口シートが透明樹脂シートであるため、外箱外面側から見た色彩を種々の色彩にし易くなる。このため、発泡断熱材の色彩と冷蔵庫の外箱の色彩が大きく異なる場合にも、注入口シートに外箱と同系色を施せば、外観的に向上したものとなる。更に、注入口シートに施す色彩は、断熱材充填空間側の面に施されるため、外箱外面からの損傷を受けない効果を奏する。
【００２８】
また、本発明では、注入口周辺の外箱はシルバー色の外面を呈し、注入口シートは、断熱材充填空間側の面にアルミニウム蒸着層を形成した透明樹脂シートで構成されたものであり、アルミニウム蒸着の形成は比較的安価にして簡単であり、塗装による場合のコストアップやカラーシートを接着する場合の皺やコストアップ等の問題も考慮することなく、シルバーの外箱に近い色を簡単にしかも安価に形成できる効果がある。
【図面の簡単な説明】
【図１】本発明に係る冷蔵庫の縦断側面である。
【図２】本発明に係る冷蔵庫本体の正面斜視図である。
【図３】本発明に係る冷蔵庫本体への断熱材充填状態の説明図である。
【図４】本発明に係る注入口シートの斜視図である。
【図５】本発明に係る注入口シートの取り付け状態を示す断面図である。
【符号の説明】
１・・・冷蔵庫本体
２・・・内箱
３・・・外箱
４・・・発泡性断熱材
３０・・・断熱材充填空間
３１・・・注入口
３２・・・注入ヘッド
３３・・・両面接着テープ
４０・・・注入口シート
４１・・・固定側
４３・・・周囲壁
４４・・・外側面
４５・・・台形部
４６・・・色彩層、アルミニウム蒸着層
４７・・・透明樹脂シート
【図１】
2004225947.tif 000003
【図２】
2004225947.tif 000004
【図３】
2004225947.tif 000005
【図４】
2004225947.tif 000006
【図５】
2004225947.tif 000007